(57)【要約】【課題】携帯が便利になり、全長を短縮可能であり、極めて衛生的である伸縮式箸を提供する。【解決手段】一対の箸１と、前記箸１を収容するための本体とを備え、各箸１は上半部１１と下半部１２とを有し、前記下半部１２は両端の外周長さが異なり、且つ外周長さがより大きい一端には前記上半部１１の底端と結合するための結合段が設けられ、前記上半部１１は下半部１２を収容するために中空を呈し、両端には上端開口１１１と下端開口１１２とがそれぞれ設けられ、前記上半部１１の上端開口１１１には押圧素子３が嵌められ、前記上半部１１の上端開口１１１に近接する箇所の内側には対向する第一突起１１３と第二突起１１４とが設けられ、前記下半部１２が上半部１１内に収縮された際には下半部１２が第一突起１１３に止められ、前記第二突起１１４は押圧素子３を係止するためのものであり、前記部材の組合せは本体に収容されることを特徴とする伸縮式箸。【選択図】図１
2006271954.tif 000002
【特許請求の範囲】
【請求項１】
一対の箸と、前記箸を収容するための本体とを備え、各箸は上半部と下半部とを有し、前記下半部は両端の外周長さが異なり、且つ外周長さがより大きい一端には前記上半部の底端と結合するための結合段が設けられ、前記上半部は下半部を収容するために中空を呈し、両端には上端開口と下端開口とがそれぞれ設けられ、前記上半部の上端開口には押圧素子が嵌められ、前記上半部の上端開口に近接する箇所の内側には対向する第一突起と第二突起とが設けられ、前記下半部が上半部内に収縮された際には下半部が第一突起に止められ、前記第二突起は押圧素子を係止するためのものであり、これらの部材の組合せは本体に収容されることを特徴とする伸縮式箸。
【請求項２】
前記押圧素子は一つの係合ブッシュと、一つのボタンとを有し、前記ボタンには一つの押圧部と、前記押圧部から伸びたピンとが設けられ、前記係合ブッシュは中空な部材であり、前記上端開口に嵌め設けられ、一つの係止段と、一つの係りリングとを有し、前記係止段には互いに対向する二つの定位孔が開設されその内側の壁面には前記ピンの止め部をスライドさせるためのスライド溝が設けられていることを特徴とする請求項１に記載の伸縮式箸。
【請求項３】
前記下半部の小径端は上端開口から挿入され、前記下端開口の内側の半径は下半部の結合段の外径よりも小さいことを特徴とする請求項１に記載の伸縮式箸。
【発明の詳細な説明】
【技術分野】
【０００１】
本発明は、伸縮式箸に係り、特に、携帯が便利になり、使用後に全長を短縮可能であり、且つ極めて衛生的である伸縮式箸に関するものである。
【背景技術】
【０００２】
箸は従来から飲食文化における不可欠なものであり、日常生活でも、野外の食事でも、箸は極めて重要な食器である。
【０００３】
従来の箸は一対の長いロッド体であり、家で食事をする場合には、従来の箸の使用は問題ないが、外出の場合には、従来の箸の長さが長すぎるので、箸の携帯は極めて不便である。そこで、図７に示すような箸が提案された。前記箸は、先端部分５１と握り部分５２とに分けられ、且つ使用するときには、握り部分５２に先端部分５１をねじ込んで固定すると、一般の箸として使用することができる。上記構造によれば、箸５の長さは短縮できるが、前記先端部分５１が握り部分５２内に収容される際には、前記先端部分５１を握り部分５２に固定するための固定機構が設けられていないので、前記先端部分５１が握り部分５２から外部に露出して汚染されることがよくあり、且つ前記箸５の構造は、他の機能がないので、実用性が低い。
【０００４】
伸縮式箸の実用性を向上させるために、図８に示すような伸縮式箸が提案された。この伸縮式箸は、複数のロッドを互いに結合して一体になる箸６であり、各箸６の各ロッドは係止体６１と係止溝６２とにより互いに結合し、且つ各箸６の頂端にはクリップ６３が設けてあり、これにより、携帯が極めて便利になる。このような伸縮式箸は、伸縮可能であり、且つ携帯が極めて便利であるが、箸６の先端はやはり汚染され易く、且つ箸６をシャツのポケットに入れると、シャツが箸６に付いた油などに汚されることがよくあった。
【発明の開示】
【発明が解決しようとする課題】
【０００５】
本発明の主な目的は、携帯が便利になり、使用後に全長を短縮可能であり、且つ極めて衛生的である伸縮式箸を提供することにある。
【課題を解決するための手段】
【０００６】
上記目的を達成するためになされた本発明の伸縮式箸は、一対の箸と、前記箸を収容するための本体とを備え、各箸は上半部と下半部とを有し、前記下半部は両端の外周長さが異なり、且つ外周長さがより大きい一端には前記上半部の底端と結合するための結合段が設けられ、前記上半部は下半部を収容するために中空を呈し、両端には上端開口と下端開口とがそれぞれ設けられ、前記上半部の上端開口には押圧素子が嵌められ、前記上半部の上端開口に近接する箇所の内側には対向する第一突起と第二突起とが設けられ、前記下半部が上半部内に収縮された際には下半部が第一突起に止められ、前記第二突起は押圧素子を係止するためのものであり、これらの部材の組合せは本体に収容されることを特徴とする。
【０００７】
本発明では、前記押圧素子は一つの係合ブッシュと、一つのボタンとを有し、前記ボタンには一つの押圧部と、前記押圧部から伸びたピンとが設けられ、前記係合ブッシュは中空な部材であり、前記上端開口に嵌め設けられ、一つの係止段と、一つの係りリングとを有し、前記係止段には互いに対向する二つの定位孔が開設されその内側の壁面には前記ピンの止め部をスライドさせるためのスライド溝が設けられていてもよい。
【０００８】
本発明では、前記下半部の小径端が上端開口から挿入され、前記下端開口の内側の半径は下半部の結合段の外径よりも小さくてもよい。
本発明に係る伸縮式箸によれば、携帯が便利になり、使用後に全長を短縮可能であり、且つ極めて衛生的である。
【発明を実施するための最良の形態】
【０００９】
以下、添付図面を参照して本発明の好適な実施例を詳細に説明する。
（実施例１）
本実施例に係る伸縮式箸は、図１に示すように、一対の箸１と、前記箸１を収容するための本体２とを含み、本実施例では、前記本体２は上下収容空間２１、２２を有する管体であり、携帯を便利にするために、前記管体の頂端の外周面にはクリップ２３が設けてある。なお、各箸１は上半部１１と下半部１２とを有し、本実施例では、前記下半部１２は、断面が正方形を呈し、両端の正方形の辺が異なり、且つ正方形辺がより大きい一端には前記上半部１１の底端と結合するための結合段１２１が設けてあり、前記上半部１１は、下半部１２を収容するために中空を呈し、その両端には上端開口１１１と下端開口１１２とがそれぞれ設けてあり、前記下半部１２の小径端が上端開口１１１から挿入され、なお、前記下端開口１１２の内側の正方形辺は下半部１１２の結合段１２１の外周の正方形辺よりも小さい。これにより、前記下半部１１２の結合段１２１と上半部１１とは結合して一体になる。なお、前記上半部１１の上端開口１１１には押圧素子３が嵌めてあり、本実施例では、前記押圧素子３は、一つの係合ブッシュ３１と、一つのボタン３２とを有し、前記ボタン３２には、一つの押圧部３２１と、前記押圧部３２１から伸びたピン３２２とが設けてあり、前記ピン３２２には止め部３２３が設けてあり、且つ前記係合ブッシュ３１は、中空な部材であり、前記上端開口１１１に嵌め設けられ、一つの係止段３１１と、一つの係りリング３１２とを有し、前記係止段３１１には、互いに対向する定位孔３１３が二つ開設してあり、その内側の壁面には前記ピン３２２の止め部３２３をスライドさせるためのスライド溝３１４が設けてあり、なお、前記上半部１１の上端開口１１１に近接する箇所の内側には対向する第一突起１１３と第二突起１１４とが設けてあり、前記下半部１２が上半部１１内に収縮された際には下半部１２が第一突起１１３に止められ、なお、前記第二突起１１４が定位孔３１３に係止される。これにより、前記押圧素子３は上半部１１と結合し、なお、図２に示すように、これらの部材の組合せを本体２内に収容することができる。
【００１０】
図３に示すように、本実施例では外周長さの違いにより、上半部１１と下半部１２とを互いに嵌めて結合することができ、平常時には、前記箸１の下半部１２が上半部１１内に収容され、且つ第一突起１１３が下半部１２の結合段１２１に当接することにより、下半部１２は一時離脱できなくなる。したがって、下半部１２の底端は、上半部１１内に完全に収容され、外部に露出せず、汚染され難くなる。
【００１１】
本実施例の使用方法について説明する。図４と図５に示すように、前記ピン３２２の止め部３２３が係合ブッシュ３１の内側のスライド溝３１４内に摺動可能に設けられるので、ボタン３２を押圧すると、ユーザの押え力により、前記ピン３２２は下半部１２を第一突起１１３から離脱させ、且つ前記下半部１２はユーザの押え力が第一突起１１３の当接力を超えた時点で瞬間に離脱可能になるので、平常時には、前記下半部１２の結合段１２１は上半部１１の底端と結合する。
【００１２】
また、本実施例に係る伸縮式箸は、主に金属材料で作製されたものであり、且つ上半部１１と下半部１２との結合箇所には他の部材を設けないので、構造が簡単になり、携帯が便利になり、収納が容易になる長所を有する。したがって、実用性は従来のものよりも高く、且つ使用後に洗浄すると、本体２の収容空間２１、２２内に収容することができるので、本実施例に係る伸縮箸をシャツのポケットに入れても、シャツは伸縮箸によって汚れない。
【００１３】
（実施例２）
図６を参照する。本実施例では、各箸４の上半部４１と下半部４２との断面形状は円形を呈する。
本発明の精神および請求範囲は、もちろん特許請求の範囲に限定され、上記の実施形態に限定されない。
【図面の簡単な説明】
【００１４】
【図１】本発明の実施例１による伸縮式箸を示す分解斜視図である。
【図２】本発明の実施例１による伸縮式箸の外観を示す模式図である。
【図３】本発明の実施例１による伸縮式箸の組合せ状態を示す断面図である。
【図４】本発明の実施例１による伸縮式箸の下半部が上半部から離脱した状態を示す模式図である。
【図５】本発明の実施例１による伸縮式箸の使用状態を示す模式図である。
【図６】本発明の実施例２による伸縮式箸を示す模式図である。
【図７】従来の伸縮式箸の構造を示す模式図１である。
【図８】従来の伸縮式箸の構造を示す模式図２である。
【符号の説明】
【００１５】
（従来の部分）
５  箸、６  箸、５１  先端部分、５２  握り部分、６１  係止体、６２  係止溝
（本発明の部分）
１  箸、２  本体、３  押圧素子、４  箸、１１  上半部、１２  下半部、２１  上収容空間、２２  下収容空間、２３  クリップ、３１  係合ブッシュ、３２  ボタン、４１  上半部、４２  下半部、１１１  上端開口、１１２  下端開口、１１３  第一突起、１１４  第二突起、１２１  結合段、３１１  係止段、３１２  係りリング、３１３  定位孔、３１４  スライド溝、３２１  押圧部、３２２  ピン、３２３  止め部
【図１】
2006271954.tif 000003
【図２】
2006271954.tif 000004
【図３】
2006271954.tif 000005
【図４】
2006271954.tif 000006
【図５】
2006271954.tif 000007
【図６】
2006271954.tif 000008
【図７】
2006271954.tif 000009
【図８】
2006271954.tif 000010